(57)【要約】【目的】時計バンド、ブレスレッド等の腕バンドの端部又は中間部に、マグネット１２、１７を内装した第１端金１１、第２端金１６をばね付係止ピン１３、１８により装脱可能に取付け、前記第１端金１１の端縁を、第２端金１６の端縁に近接させた状態で、両者をマグネット１２、１７により連結する一方、操作具２０の回動により、そのフック２２を第１端金１１に係止させて、両者の連結状態を確保、又は同連結の開放可能な腕バンド用セフテイバックル１０を提供する。【構成】時計バンド、ブレスレッド等の腕バンド１の端部１Ａ、１Ａに、マグネット１２、１７内装の第１端金１１、第２端金１６をばね付ピン１３、１８により装脱可能に取付ける一方、第１端金１１端縁部の、第２端金１６端縁への近接により、両者をマグネット１２、１７によりいとおう連結した後、操作具２０を回動して、そのフック２２を第１端金状１１の係止ピン１４に機械的に係止させ、又は同係止を開放可能にした腕バンド用セフテイバックル１０である。【選択図】　図１
2004136046.tif 000002
【特許請求の範囲】
【請求項１】
腕時計、ブレスレッド等の腕バンド１の端部１Ａ、１Ｂ又は中間部に、ばね付ピン１３、１７等の適宜連結手段により、マグネット１２、１７入り第１端金１１と第２端金１６を挿脱可能にすると共に、該第１端金１１と第２端金１６の上下面から垂直状に起立する係止ピン１４、１４と支軸１９、１９を設け、かつ、前記第２端金１６上下の支軸１９、１９に、操作具２０、２０の円板状脚部２０Ａ、２０Ａの中央部を回動可能に取付け、該円板状脚部２０Ａ、２０Ａから略放射に延びる操作片２１の端部外側に、前記第１端金１１の側面に当接する当板２１Ａを、当該操作片２１の操作方向前側に、前記第１端金１１の端縁部が、前記第２端金１６端縁部への近接状態において、前記係止ピン１４、１４に係脱可能なフック２２、２２を設けたことを特徴とする腕バンド用セフテイーバックル。
【請求項２】
前記腕バンド１の端部１Ａ、１Ｂ又は中間部８に挿脱可能な第１端金１１と第２端金１６を略同形同大で、両者の当接する端縁部を、互いに挿脱可能で、両者の方向、高さ及び心合わせ可能な凹凸状に構成したことを特徴とする請求項１記載の腕バンド用セフテイーバックル。
【請求項３】
前記第２端金１６の上下面から起立する支軸１９、１９に、中央部を回動可能に設けた前記操作具２０、２０の略円板状脚部２０Ａ、２０Ａから略放射に延びる操作片２１、２１の、当該操作具２０、２０の操作方向の後側端部を、前記第２端金１６端縁部への前記第１端金１１端縁部の近接状態において、該第１端金１１の側面に当接する当板２１Ａにより連結し、該操作片２１、２１の操作方向前側に、該第１端金１１上下の係止ピン１４、１４に係脱可能なフック２２、２２を設けたことを特徴とする請求項１又は２の何れかに記載の腕バンド用セフテイーバックル。
【請求項４】
前記係止ピン１４、１４を前記第１端金１１の幅方向の中央部でその端縁部近くに、また、前記支軸１９、１９を前記第２端金１６上下の略中央部にそれぞれ設けると共に、該第１端金１１と第２端金１６の端縁部の近接状態において、前記マグネット１２、１７により、該第１端金１１と第２端金１６が略同一平面上において、その中心方向が略合致するように吸着され、かつ、前記第２端金１６上下の支軸１９、１９に、円板状脚部２０Ａ、２０Ａを回動可能に支承した前記円板状脚部２０Ａ、２０Ａから略放射状に延びる伸びる前記操作片２１のフック２２、２２を、前記第１端金１１の係止ピン１４、１４へ係止させて、前記第１端金１１と第２端金１６の連結状態を確保又は解放可能にしたことを特徴とする請求項１〜３の何れかに記載の腕バンド用セフテイーバックル。
【請求項５】
前記第２端金１６の支軸１９、１９に、中央部を回動可能に軸着した、前記操作具２０上下の略円板状脚部２０Ａ、２０Ａ周縁の少なくとも一部により、当該第２端金１６の端縁部に当接する前記第１端金１１の端縁部上下の、係止ピン１４、１４周りを常時被覆可能に構成したことを特徴とする請求項１〜４の何れかに記載の腕バンド用セフテイーバックル。
【請求項６】
前記腕バンド１の一端部１Ａ及び他端部１Ｂ又は中央部に取付けた、第１端金１１及び第２端金１６上下の係止ピン１４、１４及び支軸１９、１９の頂部を凸弧状１４Ａ、１４Ａ及び１６Ａ、１６Ａに構成すると共に、その下部を、端縁部が互いに当接する前記第１端金１１及び第２端金１６の上下面と略平行し、前記操作具２０の円板状脚部２０Ａ、２０Ａの厚さと略同高の平面状１４Ｂ、１４Ｂ及び１６Ｂ、１６Ｂに構成したことを特徴とする請求項１〜５の何れかに記載の腕バンド用セフテイーバックル。
【発明の詳細な説明】
【０００１】
【産業上の利用分野】この発明は、腕バンド用セフテイーバックル、殊に、安定、確実なバックル機能を奏し、構造が簡単で、組み立て、分解及び修理等を容易に行え、しかも、ローコストで提供できる、腕バンド用セフテイーバックルに関するものである。
【０００２】
【従来の技術】従来の腕バンド用セフテイーバックルとしては、例えば、図示しないが、腕時計の一側に取付けた腕バンド端部の尾錠に、当該腕時計の他側に取付けた腕バンド端部を挿入し、両バンドの端部が重なるように尾錠に挿入した後、当該尾錠を操作して両腕バンドを、例えば、腕周りに締付けて、腕時計等を当該腕周りに取付け、取外し可能にしたものが知られている。
【０００３】
【従来技術における問題点】このような従来の腕時計、ブレスレッド等の腕バンド用バックルにあっては、例えば、腕時計の一側に取付けた腕時計用バンド端部の尾錠に、当該腕時計の他側に設けた腕バンドの端部を挿入した後、該尾錠を操作して、当該腕バンドを連結し又は切り離すことができるものの、このものにあっては、例えば、一方の腕バンドと、他方の腕バンドとを上下に重ねた後、一方の腕バンド端部の尾錠により、他方の腕バンドを一方の腕バンド上に押圧して両者を連結するものであったため、出バンドの締め付け、連結機能は期待できるものの、当該腕バンドの連結部の高さが高く（厚く）なり、引いては見栄え不良を招く嫌いがあり、とりわけ、バンドの中間部を連結する部材としての、腕バンド用バックルとしては、適切なものとは言えないと言う問題点があった。
【０００４】
【発明が解決しようとする課題】この発明は、前記のような従来例における問題点に着目してなされたもので、　腕時計、腕時計、ブレスレッド等の腕バンド１の端部１Ａ、１Ｂ又は中間部に、適宜連結手段により挿脱可能なマグネット１２、１７入り第１端金１１と第２端金１６の対接する端縁部を、互いに挿脱可能に構成すると共に、該第１端金１１と第２端金１６の上下面から垂直状に起立する係止ピン１４、１４と支軸１９、１９を設け、第２端金１６上下の支軸１９、１９に、操作具２０、２０の円板状脚部２０Ａ、２０Ａを回動可能に設け、該円板状脚部２０Ａ、２０Ａから延びる操作片２１の操作方向前側のフック２２、２２により前記第１端金１１を、前記第２端金１６の端縁部に近接固定可能にすることにより、前記のような課題を解決できる腕バンド用セフテイーバックルを提供しようとするものである。
【０００５】
【課題の解決手段】この発明は、前記のような従来例における問題点に着目してなされたもので、腕時計、腕時計、ブレスレッド等の腕バンド１の端部１Ａ、１Ｂ又は中間部に、ばね付ピン１３、１７等の適宜連結手段により挿脱可能なマグネット１２、１７入り第１端金１１と第２端金１６の対接端縁部を、互いに挿脱可能に構成すると共に、該第１端金１１と第２端金１６の上下面から垂直状に起立する係止ピン１４、１４と支軸１９、１９を設け、かつ、前記第２端金１６上下の支軸１９、１９に、操作具２０、２０の円板状脚部２０Ａ、２０Ａの中央部を回動可能に設け、該円板状脚部２０Ａ、２０Ａから略放射に延びる操作片２１の端部外側に、前記第１端金１１側面に当接する当板２１Ａを、該操作片２１の操作方向前側に、前記第１端金１１の端縁部が前記　第２端金１６の端縁部に近接する状態において、前記第１端金１１の係止ピン１４、１４に係脱可能なフック２２、２２を設けた腕バンド用セフテイーバックルである。
【０００６】
また、前記腕バンド１の端部１Ａ、１Ｂ又は中間部８に挿脱可能な第１端金１１と第２端金１６を略同形同大で、両者の当接する端縁部を、互いに挿脱可能で、両者の方向、高さ及び心合わせ可能な凹凸状に構成したものであり、また、前記第２端金１６上下面から起立する支軸１９、１９に、中央部を回動可能に設けた前記操作具２０、２０の略円板状脚部２０Ａ、２０Ａから略放射に延びる操作片２１、２１の、当該操作具２０、２０の操作方向の後側端部を、前記第１端金１１側面に当接する当板２１Ａで連結し、該操作片２１、２１の操作方向前側に前記第１端金１１上下の係止ピン１４、１４に係脱可能なフック２２、２２を設けたものである。
【０００７】
さらに、前記係止ピン１４、１４を前記第１端金１１の幅方向の中央部でその端縁部近くに、また、前記支軸１９、１９を前記第２端金１６上下の略中央部にそれぞれ設けると共に、該第１端金１１と第２端金１６の端縁部の近接により、前記マグネット１２、１７により前記該第１端金１１と第２端金１６の上下左右面及びその中心方向が略合致するように吸着され、かつ、前記第２端金１６上下の支軸１９、１９に、円板状脚部２０Ａ、２０Ａを回動可能に支承した前記円板状脚部２０Ａ、２０Ａから略放射状に延びる伸びる前記操作片２１のフック２２、２２を、前記第１端金１１の係止ピン１４、１４へ係止させて、前記第１端金１１と第２端金１６の連結状態を確保又は解放可能にしたものであり、また、前記第２端金１６の支軸１９、１９に中央部を回動可能に軸着した、前記操作具２０上下の略円板状脚部２０Ａ、２０Ａ周縁の少なくとも一部を、当該第２端金１６の端縁部に当接する前記第１端金１１の端縁部上下の、前記係止ピン１４、１４周りを常時被覆可能に構成したものである。
【０００８】
また、前記腕バンド１の一端部１Ａ及び他端部１Ｂ又は中央部に取付けた、第１端金１１及び第２端金１６上下の係止ピン１４、１４及び支軸１９、１９の頂部を凸弧状１４Ａ、１４Ａ及び１６Ａ、１６Ａに構成すると共に、その下部を、端縁部が互いに当接する前記第１端金１１及び第２端金１６の上下面と略平行し、前記操作具２０の円板状脚部２０Ａ、２０Ａの厚さと略同高の平面１４Ｂ、１４Ｂ及び１６Ａ、１６Ｂ状に構成したことものである。
【０００９】
【作用】請求項１の発明によれば、腕時計、ブレスレッド等の腕バンド１の端部１Ａ、１Ｂ又は中間部に、ばね付ピン１３、１７等の適宜連結手段により挿脱可能なマグネット１２、１７入り第１端金１１と第２端金１６の端縁部を、互いに挿脱可能に構成すると共に、該第１端金１１と第２端金１６の上下面から垂直状に起立する係止ピン１４、１４と支軸１９、１９を設け、かつ、前記第２端金１６上下の支軸１９、１９に、操作具２０、２０の円板状脚部２０Ａ、２０Ａの中央部を回動可能に設け、該円板状脚部２０Ａ、２０Ａから略放射に延びる操作片２１の端部外側に、前記第１端金１１側面に当接する当板２１Ａを、該操作片２１の操作方向前側に、前記第１端金１１の端縁部が第２端金１６の端縁部に近接する、前記第１端金１１の係止ピン１４、１４に係脱可能なフック２２、２２を設けたことにより、マグネット１２、１７による吸引に合わせて、フック２２、２２による機械的連結及びその連結を開放可能にする。
【００１０】
請求項２の発明によれば、前記腕バンド１の端部１Ａ、１Ｂ又は中間部８に挿脱可能な第１端金１１と第２端金１６を略同形同大で、両者の当接する端縁部を、互いに挿脱可能で、両者の方向、高さ及び心合わせ可能な凹凸状に構成しから、仮に、この第１端金１１と第２端金１６の右左を逆に当該バンドの端部又は、中間部に設けても違和感のない腕バンド用セフテイーバックルとしての機能を奏する。
【００１１】
請求項３の発明によれば、前記第２端金１６上下面から起立する支軸１９、１９に、中央部を回動可能に設けた前記操作具２０、２０の略円板状脚部２０Ａ、２０Ａから略放射に延びる操作片２１、２１の、当該操作具２０、２０の操作方向の後側端部を、前記第１端金１１側面に当接する当板２１Ａで連結し、該操作片２１、２１の操作方向前側に前記第１端金１１上下の係止ピン１４、１４に係脱可能なフック２２、２２を設けたことにより、第１端金１１と第２端金１６の端縁部と当接させた後、操作片２１、２１を第１端金１１の中央より（前側）に操作することにより、両者、ひいては腕時計、ブレスレッド等の腕バンド１の連結状態を確保し、また、その開放を可能にする。
【００１２】
請求項４の発明によれば、前記係止ピン１４、１４を前記第１端金１１の幅方向の中央部でその端縁部近くに、また、前記支軸１９、１９を前記第２端金１６上下の略中央部にそれぞれ設けると共に、該第１端金１１と第２端金１６の端縁部を近接させると、マグネット１２、１７の吸引力により該第１端金１１と第２端金１６の上下左右面及びその中心方向が略合致するように吸着して、仮に、連結し、第２端金１６上下の支軸１９、１９に、円板状脚部２０Ａ、２０Ａを回動可能に支承した円板状脚部２０Ａ、２０Ａから略放射状に延びる伸びる前記片２１のフック２２、２２を、前記端金１１の係止ピン１４、１４へ係止させて、第１端金１１と第２端金１６の連結状態を確保し、また、操作片２１を逆方向に回動させて、両者の機械的連結状態を解放する。
【００１３】
請求項５の発明によれば、第２端金１６の支軸１９、１９に中央部を回動可能に軸着した、操作具２０上下の略円板状脚部２０Ａ、２０Ａ周縁の少なくとも一部が、第２端金１６端縁部に当接する第１端金１１端縁部の、係止ピン１４、１４周りの上下を常時被覆し、第１端金１１端縁部の第２端金１６端縁部への近接時における良好な誘導、及び両者の当接状態における相対移動を阻止する。
【００１４】
請求項６の発明によれば、前記腕バンド１の一端部１Ａ及び他端部１Ｂ又は中央部に取付けた、第１端金１１及び第２端金１６上下の係止ピン１４、１４及び支軸１９、１９の頂部を凸弧状１４Ａ、１４Ａ及び１６Ａ、１６Ａに構成したことにより、当該腕バンド用セフテイーバックルにより連結した腕時計、ブレスレッド等の腕バンド１を、腕等周りに着用した状態における良好な見栄えを確保できる外、その外側への異物の引っかかり発生を防止し、また、当該腕バンド用セフテイーバックル下部の、腕周り等への良好な接触感覚を得られ、しかも、前記係止ピン１４、１４及び支軸１９、１９の凸弧状１４Ａ、１４Ａ及び１６Ａ、１６Ａ頂部の下部を、端縁部が互いに当接する第１端金１１及び第２端金１６の上下面と略平行し、前記操作具２０の円板状脚部２０Ａ、２０Ａの厚さと略同高の平面１４Ｂ、１４Ｂ及び１６Ａ、１６Ｂ状に構成したことにより、これに係合する操作具２０の円板状脚部２０Ａ、２０Ａとの協同により、第１端金１１及び第２端金１６の当接状態、即ち、当該バンド１の良好な連結状態を確保する。
【００１５】
【実施態様】以下、この発明に係る腕時計、ブレスレッド等の腕バンド用バックルの、一実施態様を添付の図１〜６を参照して説明する。
【００１６】
図１は、この発明に係る腕時計、ブレスレッド等の腕バンド用バックルにより、バンド１の端部を連結した状態における、その一実施態様の模式平面説明図であり、同図１では操作片２１を後退させて、フック２２と係止ピン１４の係合を開放した状態を破線で略示した。図２はその腕バンド用バックルにより、バンド１の端部を連結した状態における拡大模式側面説明図、図３はその模式斜視説明図、図４はその操作片を開放した状態における模式斜視説明図、図５はその操作片を大きく回動、後退させて開放し、第１端金を第２端金の端部から離間させた状態における模式斜視説明図、図６はそのバンド１端部１Ａの模式横断説明図である。
【００１７】
図１〜６において、１は腕バンドで、この腕バンド１はその一端を、例えば、図示しない腕時計等の適宜物品の一側及び他側に取付けることができる外、１つ（又は２つ若しくは３個以上）のバンド１を、当該バンド１の一端部１Ａ及び他端部１Ｂを連結す構造のもの（例えば、ブレスレッド等）として構成することもできる。ここでは、１つのバンド１の一端部１Ａ及び他端部１Ｂに、第１端金１１及び第２端金１６を設けた例について述べる。
【００１８】
３、４はバンド１の端縁部に設けた穴で、穴３、４はバンド１の幅（図１の平面図では上下）方向に設けた穴で、同穴３、４の端部はその中央部より小径３Ａ（４Ａ：４Ａは図示省略）に構成され、同小径部３Ａ（４Ａ）には後述の連結ピン１３、１８端部のＴ状（又は鍔１３Ｃ付）ピン１３Ｂ、１８Ｂが挿入され、その背部（バンド１の幅方向の中央部側）からコイルばね１３Ａ、１８Ａにより弾圧され、同Ｔ状ピン１３Ｂ、１８Ｂが常時バンド１の側縁から側方（図１では上下方向）に僅かに突出するように弾圧する。
【００２０】
１１、１６は第１端金、第２端金で、第１端金、第２端金１１、１６はバンド１の一端部１Ａ及び他端部１Ｂの穴３、３に挿入したコイルばね１３Ａ、１８Ａ付Ｔ状ピン１３Ｂ、１８Ｂヲ、その穴１１Ａ、１６Ａに挿入、係合することにより、取付けられる。１２、１７は第１端金、第２端金１１、１６に設けたマグネット、１４、１４は第１端金１１上下の幅方向中央部で、その端部寄りで僅か内側に位置し、当該第１端金１１の上下面に略垂直状に設けた設けた係止ピン、１９、１９は第２端金１６上下の略中央部から、その上下方向にほぼ垂直状に設けた支軸で、係止ピン１４、１４及び支軸１９、１９の頂面は凸弧状面１４Ａ、１４Ａ及び１９Ａ、１９Ａとして、また、その下面は水平状面１４Ｂ、１４Ｂ及び１９Ｂ、１９Ｂとして構成され、この係止ピン１４、１４及び支軸１９、１９の頂部下面の水平状面１４Ｂ、１４Ｂ及び１９Ｂ、１９Ｂと、前記第１端金１１及び第２端金１６の上下面との間隔は、後述の操作具２０の円板状脚部２０Ａ、２０Ａの厚さ（図２では上下方向の高さ）と略等高若しくはやや広く（高く）構成する。
【００２１】
操作具２０は上下の円板状脚部２０Ａ、２０Ａと、当該円板状脚部２０Ａ、２０Ａの周縁部から放射状に伸びる操作片２１の外側（図１では下側、図２では紙面の上側）を垂直状当板２１Ａにより連結して、両者が行った以上をなすように構成し、その上下の円板状脚部２０Ａ、２０Ａの中央部を、第２端金１６上下の支軸１９に回動可能に取付ける。
【００２２】
２２は前記操作片２１の前側（図１では上側）で、前記平円板状脚部の外側に形成したフックで、該フック２２は操作片２１の前方（図１では矢印とは逆方向）の回動により、端部が前記第２端金１６の端部に当接する第１端金１１上の係支ピン１４に係合して、第１端金１１の端部と第２端金１６の端部との当接状態、即ち、端部に第１端金１１と第２端金１６とを備えるバンド１の連結状態を確保する。
【００２３】
【実施態様の作用】この腕時計、ブレスレッド等の腕バンド用セフテイーバックルの一実施態様は、まず、腕バンド１一端の第１端金１１を、その端縁を同バンド１他端の第２端金１６と略同一平面状又は、同一円筒面上に配して、その端縁を第２端金１６の端縁に近接させる（図４の状態）と、それぞれのマグネット１２、１７により両者が磁力により吸引されて仮止めされる。然る後、操作片２１を支軸１９周りの時計方向（図１）に回動させ、そのフック２２を第１端金１１上下の係支ピン１４、１４に係止させること（図１、３の状態）により、両者の当接、連接状態、即ち、腕バンド１の両端部１Ａ、１Ａの連結状態を、操作具２０が図１の実線位置を占めることにより、その状態が確保される。
【００２４】
この図１〜図３の連結状態（ただし、操作具２０は図１では実線位置）の操作片２１を、同図１、３の支軸１９周りの反時計方向に回動させて、図４の位置及び、図１の破線位置として、フック２２を係支ピン１４から外し、第１端金１１と第２端金１６との機械的連結状態を開放し、第１端金１１と第２端金１６とを、それぞれのマグネット１２、１７の磁力のみによる仮止め状態とし、当該腕バンド１への引張り力等による、前記マグネット１２、１７の磁力を超える引張り力賦与により、第１端金１１、第２端金１４、したがって、腕バンド１の両端部を開放し、図５の状態にする。
【００２５】
なお、この実施態様にあっては、操作具２０の略円形脚部２０Ａ、２０Ａの外形を、第２端金１６上の支軸１９と該第２端金１６の端縁（図１では左側縁）との間隔より少し大きく（大径）に構成することにより、第２端金１６の端縁に近接する第１端金１１の端縁部を、第２端金１５の端縁への誘導機能を期待できる外、係止ピン２４へのフック２２の係合状態における、第１端金１１の上下面を第２端金１６の上下面と同一平面に沿ってスムーズに誘導し、その組付けを容易にする。
【００２６】
また、この実施態様にあっては、係止ピン１４、１４及び支軸１９、１９の頂面を凸弧状面１４Ａ、１４Ａ及び１９Ａ、１９Ａとしたことにより、当該腕バンド１外側周り当接する物品との摩擦が殆ど発生せず、また、当該腕バンド１内側と腕周り等にスムーズに当接する。
【００２７】
さらに、第１端金１１の上下面に略垂直状に設けた設けた係止ピン１４、１４及び第２端金１６上下面の略中央部から、その上下方向にほぼ垂直状に設けた支軸１９、１９の、凸弧状頂面１４Ａ、１４Ａ及び１９Ａ、１９Ａの水平状下面１４Ｂ、１４Ｂ及び１９Ｂ、１９Ｂと、前記第１端金１１及び第２端金１６の上下面との間隔を、操作具２０の円板状脚部２０Ａ、２０Ａの厚さと略等高若しくはやや広く（高く）構成することにより、当該操作具２０の円板状脚部２０Ａ、２０Ａが、第２端金１６の上下面に添ってスムーズに回動すると共に、第２端金１６の上下面と、当該第２端金１６端縁に近接する第１端金１１の上下面とを同一平面に沿って、また、両者の中心線方向が合致して当接するように、スムーズな誘導をする。
【００２８】
【変形例】この発明の第１端金１１端縁の端縁部１１Ｂは、図５に略示するように、当該第１端金１１本体部よりやや小径に（薄く、幅狭く）構成して、第２端金１６端縁部の略同形孔部に挿入可能にする外、図示しないが、これとは逆に、第２端金１６端縁部に当該第２端金１６本体部よりやや小径部を、第１端金１１の端縁部に略同形孔部を構成することもでき、この場合にも前記と略同様な作用をする。
【００２９】
また、図示しないが、腕バンド１の端部１Ａ、１Ａ又は中間部の穴３に設ける、ばね付係止ピン１３内側の軸部１３Ｄは、同係止ピン１３の機能を確保できる限り、周略することができる。
【００３０】
【効果】この発明は、前記のような構成を有し、作用をするから、う８で時計用バンドやブレスレッドと同様な作用をする他、次のような特有の効果を奏する。
【００３１】
（１）　腕腕時計、ブレスレッド等の腕バンド１の端部１Ａ、１Ｂ又は中間部に、ばね付ピン１３、１７等の適宜連結手段により装脱され、分離可能な第１端金１１と第２端金１６からなる腕バンド用バックルであって、それぞれに内奏したマグネット１２、１７による第１端金１１と第２端金１６との分離可能な連結、固定に合わせて、第１端金１１から起立するの係止ピン１４、１４への、第２端金１６から起立する支軸１９、１９周りに回動可能な操作具２０、２０のフック２２、２２の係脱により、両者を磁気的及び機械的に分離可能な接続し、したがって、腕バンドを安全確実で、分離可能な腕バンド用セフテイーバックルを提供する。
【００３２】
（２）　前記腕バンド１の端部１Ａ、１Ｂ又は中間部８に挿脱可能な第１端金１１と第２端金１６を略同形同大で、両者の当接する端縁部を、互いに挿脱可能で、両者の方向、高さ及び心合わせ可能な凹凸状に構成したことにより、均整の取れた左右同形の第１端金、第２端金からなり、第１端金、第２端金の高さ、センター合わせ等、その組み付け及び操作が容易で、所要の機能を奏し、見栄えの良好な腕バンド用セフテイーバックルを提供する。
【００３３】
（３）　前記第２端金１６の上下面から起立する支軸１９、１９に、中央部を回動可能に設けた前記操作具２０、２０の略円板状脚部２０Ａ、２０Ａから略放射に延びる操作片２１、２１の、当該操作具２０、２０の操作方向の後側端部を、前記第２端金１６端縁部への前記第１端金１１端縁部の近接状態において、該第１端金１１の側面に当接する当板２１Ａにより連結し、該操作片２１、２１の操作方向前側に、該第１端金１１上下の係止ピン１４、１４に係脱可能なフック２２、２２を設けたことにより、操作片２１により操作具２０をスムーズに操作できる外、操作片２１の当板２１Ａによりその動作が規制され、しかも、フック２２と係止ピン１４との係合により、動作の確実な腕バンド用セフテイーバックルを提供する。
【００３４】
（４）　前記係止ピン１４、１４を前記第１端金１１の幅方向の中央部でその端縁部近くに、また、前記支軸１９、１９を前記第２端金１６上下の略中央部にそれぞれ設けると共に、該第１端金１１と第２端金１６の端縁部の近接状態において、前記マグネット１２、１７により、該第１端金１１と第２端金１６が略同一平面上において、その中心方向が略合致するように吸着され、かつ、前記第２端金１６上下の支軸１９、１９に、円板状脚部２０Ａ、２０Ａを回動可能に支承した前記円板状脚部２０Ａ、２０Ａから略放射状に延びる伸びる前記操作片２１のフック２２、２２を、前記第１端金１１の係止ピン１４、１４へ係止させて、前記第１端金１１と第２端金１６の連結状態を確保止し、しかも、必要に応じて、適時解放可能な記載の腕バンド用セフテイーバックルを提供する。
【００３５】
（５）　第２端金１６から起立する支軸１９、１９に、中央部を回動可能に軸着した、操作具２０の略円板状脚部２０Ａ、２０Ａ周りの少なくとも一部により、当該第２端金１６の端縁部に当接する第１端金１１の端縁部上下の、係止ピン１４、１４周りが常時被覆、規制されることにより、第１、第２端金１１、１６の位置合わせが良好となり、結合時における腕バンド用セフテイーバックルの係止動作の、安定性が向上する。
【００３６】
（６）　前記腕バンド１の一端部１Ａ及び他端部１Ｂ又は中央部に取付けた、第１端金１１及び第２端金１６上下の係止ピン１４、１４及び支軸１９、１９の頂部を凸弧状１４Ａ、１４Ａ及び１６Ａ、１６Ａに構成したことにより、当該係止ピン１４、１４及び支軸１９、１９の頂部周りへの異物等の引掛かり発生が阻止されると共に、着用する腕周り等への応力集中が軽減される。
また、第１端金１１及び第２端金１６上下の係止ピン１４、１４及び支軸１９、１９の頂部の下部を、端縁部が互いに当接する前記第１端金１１及び第２端金１６の上下面と略平行し、前記操作具２０の円板状脚部２０Ａ、２０Ａの厚さと略同高ないしやや高い平面状１４Ｂ、１４Ｂ及び１６Ｂ、１６Ｂに構成したことにより、第１端金１１、第２端金１６の上下位置、したがって、両側の腕バンド１Ａ、１Ａの位置合わせが容易になされる。
【図面の簡単な説明】
【図１】この発明に係る腕時計、ブレスレッド等の腕バンド用セフテイーバックルの、実施態様の組み付け状態における拡大模式平面説明図で、図１ではその操作片の開放状態を、破線で略時した。
【図２】同実施態様の組み付け状態における拡大模式側面説明図である。
【図３】同実施態様の組み付け状態における模式斜視説明図である。
【図４】同実施態様の操作具を開放した状態における、腕バンド用セフテイーバックルの模式斜視説明図である。
【図５】同実施態様の操作具を、さらに大きく開放した状態における、その模式斜視説明図である。
【図６】同実施態様の腕バンド端部の拡大模式横断説明図である。
【符号の説明】
１……腕バンド
１Ａ……腕バンドの一端
１Ｂ……腕バンドの他端
３、４……穴（腕バンド端部連結ピンのばね挿入用）
３Ａ……小径穴部（穴３の）
１０……腕バンド用バックル
１１……第１端金
１１Ｂ……肉薄、幅狭部（第１端金端縁部）
１２……マグネット
１３……ばね付連結ピン
１３Ａ……コイルばね
１３Ｂ……係止ピン
１３Ｃ……鍔部
１３Ｄ……軸部
１４……係止ピン
１４Ａ……半球状凸部（係止ピン頂部）
１４Ｂ……平面（係止ピン頂部下面）
１５……
１６……第２端金
１７……マグネット
１８……ばね付連結ピン
１９……支軸
１９Ａ……半球状凸部（支軸頂部）
１９Ｂ……平面（支軸頂部下面）
２０……操作具
２０Ａ……円板状脚部
２１……操作片
２１Ａ……当板（操作片外側：後側）
２２……フック（操作片内側：前側）
２３……係止溝
【図１】
2004136046.tif 000003
【図２】
2004136046.tif 000004
【図３】
2004136046.tif 000005
【図４】
2004136046.tif 000006
【図５】
2004136046.tif 000007
【図６】
2004136046.tif 000008